(57)【要約】【課題】電線のブリードによる電線表面への付着物の付着性を評価する簡易的な方法を提供する。【解決手段】電線切断装置１は、複数の矯正ロール１１からなる電線矯正部４と、二組の上下一対の電線ガイドロール１２を備え電線ガイドロール１２を所定量回転させることにより電線２を検尺する検尺部５と、電線２を切断するためのカッター部６とを備える。更に電線切断装置１においては、各電線ガイドロール１２の外周にウレタン製ベルト９を取り付け、電線矯正部４の前段に刷毛１０を設ける。刷毛１０によって電線２の表面に付着物１５を付着し、電線矯正部４を通過した電線２を検尺部５により所定の線長に検尺してカッター部６で切断する工程を所定回数繰り返し行い、検尺及び切断する工程を所定回数行う前後における各ウレタン製ベルト９の相対重量値を測定し、この測定値に基づき、電線２のブリードに伴う電線表面への付着物１５の付着性を評価する。【選択図】図１
2010078458.tif 000002
【特許請求の範囲】
【請求項１】
複数の矯正ロールからなり電線を真っ直ぐな状態に矯正するための電線矯正部と、
該電線矯正部から送られる前記電線を上下方向から互いに押圧し且つ左右に並べて配置される二組の上下一対の電線ガイドロールを備え、該電線ガイドロールを所定量回転させることにより前記電線を検尺し所定の線長だけ送り出す検尺部と、
該検尺部により所定の線長に検尺された前記電線を切断するためのカッター部と、
を備える電線切断装置であって、
前記各電線ガイドロールの外周にウレタン製ベルトを着脱可能に取り付け、前記電線矯正部の前段に前記電線の表面に付着物を付着させる刷毛を設け、
前記刷毛によって前記電線表面に付着物を付着し、前記電線矯正部を通過した前記電線を前記検尺部により所定の線長に検尺して前記カッター部で切断する工程を所定回数繰り返し行い、前記各ウレタン製ベルトの前記工程を所定回数行う前後における相対重量値を測定し、該測定値に基づき、前記電線のブリードに伴う該電線表面への前記付着物の付着性を評価する
ことを特徴とする電線表面への付着物の付着性評価方法。
【発明の詳細な説明】
【技術分野】
【０００１】
本発明は、電線表面への付着物の付着性を評価する方法に関する。特に電線のブリードに伴い電線表面に付着物がどの程度付着するかを評価する方法に関する。
【背景技術】
【０００２】
自動車用ワイヤーハーネスを構成する電線は、所定の線長に検尺されて切断される電線切断工程を経ることにより製造されている。この電線切断工程には、例えば、下記特許文献１に示すような電線切断装置などが用いられている。下記特許文献１に示すような電線切断装置は、複数の検尺ロールとこの検尺ロールに取り付けられる電線送りベルトとを有する検尺機構と、この検尺機構により所定の長さに検尺された電線を切断するための切断機構とを備えている。検尺機構は、検尺ロールが所定量回転することにより引き込んだ電線を切断機構側に所定の長さだけ送り出せるようになっている。また、電線切断装置は、リールから繰り出された電線を真っ直ぐな状態に矯正するためのストレーナを備えている。このストレーナは複数の矯正ロールにより形成されている。電線切断装置においては、リールから繰り出される電線をストレーナにより矯正した上で検尺機構に送り、検尺機構で所定の線長に検尺した上で切断機構により切断している。
【特許文献１】特開平８−２４３９９３号公報
【発明の開示】
【発明が解決しようとする課題】
【０００３】
ところで、自動車用ワイヤーハーネスを構成する電線は、導体を被覆する絶縁体の組成物である可塑剤等が電線表面に滲み出てきてしまうブリード現象が発生することがある。ブリード現象が発生した電線は、この表面にブリードにより埃等の付着物が付着しやすい状態となっている。これにより、電線表面に付着した付着物が電線切断工程に用いられる電線切断装置の矯正ロールや電線送りベルトにも付着するようになってしまう。電線送りベルトに付着物が付着した状態になると、検尺ロールが所定量回転しても電線に対して電線送りベルトが空転する等といった事象が発生する恐れがある。すなわち、切断された電線線長の線長精度が低下する恐れがある。
【０００４】
このような電線線長の精度低下を防ぐために、現状では電線を量産するための量産機の電線切断工程において、電線のブリードにより電線表面に付着した付着物が矯正ロールや電線送りベルトに対してどの程度付着するかを評価している。しかしながら、電線の量産段階で上述のような電線のブリードによる電線表面への付着物の付着性評価を行うことは、評価するための評価工数及び電線の開発リードタイムの増大に繋がってしまうことになる。
【０００５】
本発明は、上記した事情に鑑みてなされたもので、電線のブリードによる電線表面への付着物の付着性を評価する簡易的な方法を提供することを課題とする。
【課題を解決するための手段】
【０００６】
上記課題を解決するためになされた請求項１記載の本発明の電線表面への付着物の付着性評価方法は、複数の矯正ロールからなり電線を真っ直ぐな状態に矯正するための電線矯正部と、該電線矯正部から送られる前記電線を上下方向から互いに押圧し且つ左右に並べて配置される二組の上下一対の電線ガイドロールを備え、該電線ガイドロールを所定量回転させることにより前記電線を検尺し所定の線長だけ送り出す検尺部と、該検尺部により所定の線長に検尺された前記電線を切断するためのカッター部と、を備える電線切断装置であって、前記各電線ガイドロールの外周にウレタン製ベルトを着脱可能に取り付け、前記電線矯正部の前段に前記電線の表面に付着物を付着させる刷毛を設け、前記刷毛によって前記電線表面に付着物を付着し、前記電線矯正部を通過した前記電線を前記検尺部により所定の線長に検尺して前記カッター部で切断する工程を所定回数繰り返し行い、前記各ウレタン製ベルトの前記工程を所定回数行う前後における相対重量値を測定し、該測定値に基づき、前記電線のブリードに伴う該電線表面への前記付着物の付着性を評価することを特徴としている。
【０００７】
このような特徴を有する本発明によれば、電線のブリードに伴う電線表面への付着物の付着性を評価する場合は、電線切断装置の各電線ガイドロールにウレタン製ベルトを着脱可能に取り付け、電線矯正部の前段に刷毛を設ける。続いて、この刷毛により付着物を電線の表面に付着し、電線矯正部を通過した電線を検尺部により所定の線長に検尺してカッター部で切断する工程を所定回数繰り返し行う。これにより、各ウレタン製ベルトには付着物が付着した状態となる。最後に、この付着物が付着した各ウレタン製ベルトと電線の検尺及び切断をする工程を行う前の各ウレタン製ベルトとの相対重量値を測定し、この測定値を算出する。本発明によれば、上述した手順で算出された測定値に基づいて、電線のブリードに伴う電線表面への付着物の付着性を評価することが可能になる。すなわち、電線のブリードに伴う電線表面への付着物の付着性評価を上述したような簡易な方法で実施することが可能になる。また、本発明によれば、電線の試作段階で電線のブリードに伴う電線表面への付着物の付着性評価を行うことが可能であるため、量産機の電線切断工程における電線切断線長の精度低下を未然に防ぐことが可能になる。本発明によれば、電線のブリードに伴う電線表面への付着物の付着性を評価するための評価工数及び電線の開発リードタイムの短縮に貢献することができるようになる。
【発明の効果】
【０００８】
請求項１に記載された本発明によれば、電線のブリードによる電線表面への付着物の付着性を評価する簡易的な方法を提供することができるという効果を奏する。本発明によれば、量産機の電線切断工程における電線切断線長の精度低下を未然に防ぐことができ、又、電線のブリードに伴う電線表面への付着物の付着性評価の評価工数及び電線の開発リードタイムの短縮に貢献することができるという効果を奏する。
【発明を実施するための最良の形態】
【０００９】
以下、図面を参照しながら説明する。図１は本発明の電線のブリードによる電線表面への付着物の付着性評価方法の一実施の形態を模式的に示す正面図である。また、図２は本発明の評価方法を実施した際のウレタン製ベルトへの付着物の付着結果例を示す図であり、（ａ）は正常な電線の場合のウレタン製ベルトを示す図であり、（ｂ）はブリードが発生した電線の場合のウレタン製ベルトを示す図である。
【００１０】
図１において、引用符号１は本発明の電線のブリードによる電線表面への付着物の付着性評価に用いられる電線切断装置を示している。電線切断装置１は、自動車用のワイヤーハーネスを構成する電線２を所定の線長に検尺して切断する装置となっている。尚、本形態の電線切断装置１においては、図中の右側から左側へ向かって電線２を送るようになっているものとする。又、電線２は、図示しないリール等から繰り出されて電線切断装置１に送り込まれるものとする。以下、先ずは電線切断装置１について説明する。
【００１１】
電線切断装置１は、箱形の筐体である本体部３と、本体部３の前面側に設けられる幾つかの部材により構成されている。具体的には、図示しないリール等から繰り出される電線２を真っ直ぐな状態にするための電線矯正部４と、電線矯正部４から送られる電線２を所定の線長となるように検尺する検尺部５と、検尺部５により所定の線長に検尺された電線２を切断するカッター部６と、電線２を保持するために配置される電線ガイドパイプ７及び電線保持ガイド８とを備えて構成されている。電線切断装置１は、更に、ウレタン製ベルト９と、刷毛１０とを備えて構成されている。
【００１２】
電線矯正部４は、本体部３の右端側（図中右側）に設けられている。電線矯正部４は、電線２の送り方向と同じ方向に回転することにより電線２を検尺部５側に送る６つの矯正ロール１１を備えて構成されている（数は一例であるものとする）。矯正ロール１１は、引き込んだ電線２を上下方向（電線２の送り方向に対して垂直となる方向。以下同様）から押圧するように上下二段に各三つずつ配置されている（配置は一例であるものとする。例えば、左右方向（電線２の送り方向に対して水平となる方向。以下同様）から押圧するように配置しても良いし、上下方向と左右方向の両方から押圧するように配置しても良いものとする）。電線矯正部４は、上下に配置される矯正ロール１１の間に電線２を引き込むことにより、リール等に巻かれていた電線２を真っ直ぐな状態に矯正できるようになっている。電線矯正部４は、矯正された電線２を検尺部５に送るようになっている。
【００１３】
検尺部５は、電線２を上下方向から互いに押圧し、左右に並べて配置される二組の上下一対の電線ガイドロール１２（１２ａ〜１２ｄ）を有している。各電線ガイドロール１２（１２ａ〜１２ｄ）は、本体部３に設けられた枢軸１３（図２参照）に対し回動自在に取り付けられている。また、各電線ガイドロール１２（１２ａ〜１２ｄ）の外周には、上述した如くのウレタン製ベルト９が取り付けられている。検尺部５は、電線ガイドロール１２を所定量回転させることにより、電線２を検尺し、電線２を所定の線長分だけ送り出せるようになっている。尚、検尺部５は、特に図示しないが電線ガイドロール１２を所定量回転させるための制御駆動装置により制御されている。この制御駆動装置は、本体部３の内部に設けられている。
【００１４】
カッター部６は、左右に並ぶ二対の電線ガイドロール１２（１２ａ〜１２ｄ）間に配置されている。カッター部６は、特に限定するものではないが、カッターブロック１４により電線２を剪断するようになっている。尚、カッターブロック１４は、所定の線長に検尺された電線２を剪断するための図示しない切断制御装置や刃を備えている。
【００１５】
電線ガイドパイプ７は、本形態において、カッター部６と右側（電線矯正部４側）の電線ガイドロール１２ａ、１２ｂ間に配置されている。また、電線保持ガイド８は、右側の電線ガイドロール１２ａ、１２ｂの両側部とカッター部６と左側の電線ガイドロール１２ｃ、１２ｄ間に配置されている。尚、電線ガイドパイプ７及び電線保持ガイド８は、電線切断装置１の装置内における電線２が安定した状態を保てるように適宜配置されていればよいものとする。
【００１６】
ウレタン製ベルト９は、各電線ガイドロール１２（１２ａ〜１２ｄ）の外周に着脱可能に取り付けられている。このウレタン製ベルト９は、本発明の評価実施後に各電線ガイドロール１２から取り外されるようになっている。取り外されたウレタン製ベルト９は、評価実施前のウレタン製ベルト９との相対重量値を測定されるようになっている。
【００１７】
刷毛１０は、電線２の表面に付着物を付着させるものとして設けられている。刷毛１０は、電線矯正部４の前段に設けられている。
【００１８】
続いて、上述してきた電線切断装置１を用いて、本発明の電線のブリードによる付着物の付着性を評価する方法の手順について説明する。
【００１９】
先ず、図示しないリール等から繰り出される電線２に刷毛１０を使用して埃等の付着物１５を付着させる。次に、付着物１５を付着させた電線２を電線矯正部４の矯正ロール１１に送り込み、この電線矯正部４を通過した電線２を検尺部５により所定の線長に検尺してカッター部６のカッターブロック１４により切断する工程を所定回数繰り返し行う。これにより、矯正ロール１１及び各ウレタン製ベルト９には、付着物１５が付着した状態となる。続いて、この付着物１５が付着した状態の各ウレタン製ベルト９と上述した電線２の検尺及び切断工程を所定回数行う前の各ウレタン製ベルト９との相対重量値を測定し、この測定値を算出する。最後にこの測定値に基づいて電線２のブリードに伴う電線表面への付着物の付着性を評価する。
【００２０】
ここで、図２を参照して、上述した評価方法を実施した後のウレタン製ベルト９の状況について説明する。電線２にブリードが発生していない正常な電線に対し上記評価方法を実施した場合、図２（ａ）に示すように、付着物１５がほとんど付着していないような状況となる。これに対し、電線２にブリードが発生している状態の電線２に対し上記評価方法を実施した場合、図２（ｂ）に示すように、付着物１４がウレタン製ベルト１１の全周に渡って付着した状況となる。
【００２１】
このように、電線２にブリードが発生していない場合とブリードが発生している場合とでは、ウレタン製ベルト９の外観上著しい差違があることがわかる。従って、この付着状況に基づいて電線２のブリードによる電線表面への付着物１５の付着性をある程度認識することが可能となる。
【００２２】
なお、図２（ａ）、（ｂ）は、電線切断長が２ｍ、電線送り線長が１０００ｍ（切断回数５００回）、評価温度が２３°Ｃ、評価湿度が５０％ＲＨの試験条件において、上述した評価方法を実施した場合のウレタン製ベルト９を示す図となっている。本発明はこの条件に限定されないものとする。すなわち、試験条件は状況等に応じて適宜変更してもよいものとする。
【００２３】
以上、図１及び図２を参照しながら説明してきたように、本発明の電線のブリードによる電線表面への付着物の付着性評価方法によれば、電線２のブリードに伴う電線表面への付着物１５の付着性を評価する場合、上述したような手順で評価を行うだけでよい。すなわち、電線２のブリードに伴う電線表面への付着物１５の付着性評価を簡易な方法で実施することが可能になる。また、このような簡易な方法であれば、電線２の試作段階で上記評価を行うことができるため、量産機の電線切断工程における電線切断線長の精度低下を未然に防ぐことが可能になる。本発明の電線のブリードによる電線表面への付着物の付着性評価方法によれば、電線２のブリードに伴う付着物１５の付着性を評価するための評価工数及び電線２の開発リードタイムの短縮に貢献することができるという効果を奏する。
【００２４】
この他、本発明は本発明の主旨を変えない範囲で種々変更実施可能なことは勿論である。
【図面の簡単な説明】
【００２５】
【図１】本発明の電線のブリードによる付着物の付着性評価に用いる電線切断装置の一実施の形態を模式的に示す正面図である。
【図２】本発明の評価方法を実施した際のウレタン製ベルトへの付着物の付着結果例を示す図であり、（ａ）は正常な電線の場合のウレタン製ベルトを示す図であり、（ｂ）はブリードが発生した電線の場合のウレタン製ベルトを示す図である。
【符号の説明】
【００２６】
１  電線切断装置
２  電線
３  本体部
４  電線矯正部
５  検尺部
６  カッター部
７  電線ガイドパイプ
８  電線保持ガイド
９  ウレタン製ベルト
１０  刷毛
１１  矯正ロール
１２  電線ガイドロール
１３  枢軸
１４  カッターブロック
１５  付着物
【図１】
2010078458.tif 000003
【図２】
2010078458.tif 000004